(57)【特許請求の範囲】
【請求項１】
モバイル端末とＷｅｂサーバとを備え、
上記モバイル端末は、
表示画面に画像を表示するＷｅｂブラウザに上記Ｗｅｂサーバと通信を行って取得した情報に基づいて上記表示画面を更新する画面更新部が設けられる一方、
上記Ｗｅｂサーバは、
上記モバイル端末の表示画面に表示すべきプラント監視用および保守点検用の表示画面情報、この表示画面情報に基づいて上記表示画面に表示される画像の表示領域の情報、および上記表示画面情報の内容に関連する他のプラント監視用および保守点検用の関連画面情報をリンクするためのリンク情報が互いに対応付けて格納された画面ＤＢと、
上記モバイル端末の上記画面更新部から送信される画面表示要求に応じて上記画面ＤＢから上記表示画面へ表示する表示画面情報を生成する表示情報生成部と、
上記表示情報生成部で生成される表示画面情報、上記モバイル端末の上記画面更新部から送信された画像の表示領域の情報、および上記画面ＤＢに格納された上記リンク情報に基づいて、上記表示画面情報の内容に関連する上記関連画面情報を上記画面ＤＢから抽出して上記表示画面情報に対するハイパーリンクを生成する関連情報生成部と、
上記表示情報生成部が生成した上記表示画面情報と上記関連情報生成部が生成した上記関連画面情報とのハイパーリンクを上記Ｗｅｂサーバから上記モバイル端末へ送信する情報配信部と、
を有し、
上記モバイル端末の上記画面更新部は、上記表示画面に上記表示画面情報を表示するとともに、上記表示画面情報の内容に関連する上記関連画面情報を当該表示画面情報の表示領域に隣接して同時表示し、かつ、上記表示画面情報を表示する画像の拡大、縮小、表示領域の移動といった上記画面表示要求の変更に応じて上記関連画面情報を更新することを特徴とするプラント監視点検用画面表示システム。
【請求項２】
上記関連情報生成部が抽出した上記関連画面情報に基づいて関連画面のサムネイル画像を生成するサムネイル画像生成部を設け、上記関連情報生成部が上記サムネイル画像生成部で生成された上記サムネイル画像を使ってハイパーリンクを生成するように構成することで、上記モバイル端末に関連画面のハイパーリンクを画像表示することを特徴とする請求項１に記載のプラント監視点検用画面表示システム。
【請求項３】
上記モバイル端末の表示画面を操作するアクセスログを記録するアクセスログ記録部と、このアクセスログ記録部で記録されたアクセスログを格納するアクセスログＤＢとを設け、上記関連情報生成部が上記アクセスログＤＢに格納されたアクセスログの情報を参照して、上記関連画面情報の表示順を決定し、この決定した内容に従って関連画面のハイパーリンクを表示することを特徴とする請求項１または請求項２に記載のプラント監視点検用画面表示システム。
【請求項４】
上記モバイル端末を操作する作業者の識別を行う作業者識別部を設け、上記作業者識別部により上記関連情報生成部および上記アクセスログ記録部が作業者を識別できるように構成することで、作業者ごとに上記モバイル端末を操作するアクセスログを記録し、作業者ごとに異なる関連画面のハイパーリンクを表示することを特徴とする請求項３に記載のプラント監視点検用画面表示システム。
【請求項５】
上記モバイル端末の表示画面に表示すべき上記表示画面情報に付随する付随関連情報を予め登録する付随関連情報登録部と、この付随関連情報登録部で登録される付随関連情報を格納する付随関連情報ＤＢを設け、上記関連情報生成部が上記付随関連情報ＤＢに登録された上記付随関連情報を参照して、上記関連画面情報の選択およびその表示順を決定し、この決定した内容に従って関連画面のハイパーリンクを表示することを特徴とする請求項１から請求項４のいずれか１項に記載のプラント監視点検用画面表示システム。
【発明の詳細な説明】
【技術分野】
【０００１】
この発明は、プラントの現場における保守点検作業支援のためにモバイル端末を利用する、プラント監視点検用画面表示システムに関するものである。
【背景技術】
【０００２】
従来、モバイル端末を利用したプラント監視点検支援システムでは、作業者が監視画面や点検画面を表示するために、所望の画面を呼び出したり、点検対象機器につけられたＩＣタグや記号を読み取ったりする等の操作を行っている。このような場合、従来技術では、各監視画面や点検画面はそれぞれ独立に表示される構成となっている（例えば、下記の特許文献１参照）。
【先行技術文献】
【特許文献】
【０００３】
【特許文献１】特開２０１４−１５３７３４号公報
【発明の概要】
【発明が解決しようとする課題】
【０００４】
しかし、このように従来技術では、各監視画面や点検画面が独立に表示されるため、現在表示中の内容に関係する関連情報が他の画面にある場合、その関連情報を得るためには、新たに他の画面を表示させる操作が別途必要であった。そのため、作業に必要な情報を得るための画面操作が繰り返し必要となり、これによって、表示操作が煩雑であるとともに、操作ミスなどのヒューマンエラーを引き起こす恐れがあった。
【０００５】
この発明は上記のような課題を解決するためになされたものであり、モバイル端末の表示画面に表示される画像の表示内容に関連する関連情報を得たい場合に、従来のように、作業者が目的の関連情報を個別に検索して表示する等の操作をしなくても、即座に必要な関連情報を得ることを可能とするプラント監視点検用画面表示システムを得ることを目的とする。
【課題を解決するための手段】
【０００６】
この発明に係るプラント監視点検用画面表示システムは、モバイル端末とＷｅｂサーバとを備え、上記モバイル端末は、表示画面に画像を表示するＷｅｂブラウザに上記Ｗｅｂサーバと通信を行って取得した情報に基づいて上記表示画面を更新する画面更新部が設けられる一方、上記Ｗｅｂサーバは、上記モバイル端末の表示画面に表示すべきプラント監視用および保守点検用の表示画面情報、この表示画面情報に基づいて上記表示画面に表示される画像の表示領域の情報、および上記表示画面情報の内容に関連する他のプラント監視用および保守点検用の関連画面情報をリンクするためのリンク情報が互いに対応付けて格納された画面ＤＢと、上記モバイル端末の上記画面更新部から送信される画面表示要求に応じて上記画面ＤＢから上記表示画面へ表示する表示画面情報を生成する表示情報生成部と、上記表示情報生成部で生成される表示画面情報、上記モバイル端末の上記画面更新部から送信された画像の表示領域の情報、および上記画面ＤＢに格納された上記リンク情報に基づいて、上記表示画面情報の内容に関連する上記関連画面情報を上記画面ＤＢから抽出して上記表示画面情報に対するハイパーリンクを生成する関連情報生成部と、上記表示情報生成部が生成した上記表示画面情報と上記関連情報生成部が生成した上記関連画面情報とのハイパーリンクを上記Ｗｅｂサーバから上記モバイル端末へ送信する情報配信部とを有し、上記モバイル端末の上記画面更新部は、上記表示画面に上記表示画面情報を表示するとともに、上記表示画面情報の内容に関連する上記関連画面情報を当該表示画面情報の表示領域に隣接して同時表示し、かつ、上記表示画面情報を表示する画像の拡大、縮小、表示領域の移動といった上記画面表示要求の変更に応じて上記関連画面情報を更新することを特徴とする。
【発明の効果】
【０００７】
この発明によれば、モバイル端末の表示画面に表示される画像の表示内容に応じて自動でその表示内容に関連する関連画面を同じ表示画面にハイパーリンクで表示し、画像の拡大、縮小、表示領域の移動等の表示内容の変更に応じて関連画面へのハイパーリンクが自動的に更新されるように構成したので、従来のように、作業者が目的の関連画面を別個に検索して表示する等の煩雑な操作が不要となり、即座に必要な関連情報を得ることができるため、操作ミスの削減や作業の効率化が可能となる。
【図面の簡単な説明】
【０００８】
【図１】この発明の実施の形態１におけるプラント監視点検用画面表示システムの全体を示す構成図である。
【図２】この発明の実施の形態１におけるモバイル端末の表示画面の一例を示す説明図である。
【図３】この発明の実施の形態１の画面表示処理の動作説明に供するフローチャートである。
【図４】この発明の実施の形態２におけるプラント監視点検用画面表示システムの全体を示す構成図である。
【図５】この発明の実施の形態２におけるモバイル端末の表示画面の一例を示す説明図である。
【図６】この発明の実施の形態２におけるハイパーリンク生成処理の動作説明に供するフローチャートである。
【図７】この発明の実施の形態３におけるプラント監視点検用画面表示システムの全体を示す構成図である。
【図８】この発明の実施の形態３におけるアクセスログ記録処理の動作説明に供するフローチャートである。
【図９】この発明の実施の形態３におけるハイパーリンク生成処理の動作説明に供するフローチャートである。
【図１０】この発明の実施の形態４におけるプラント監視点検用画面表示システムの全体を示す構成図である。
【図１１】この発明の実施の形態４におけるアクセスログ記録処理の動作説明に供するフローチャートである。
【図１２】この発明の実施の形態４における関連画面情報の抽出処理の動作説明に供するフローチャートである。
【図１３】この発明の実施の形態５におけるプラント監視点検用画面表示システムの全体を示す構成図である。
【図１４】この発明の実施の形態５における付随関連情報の設定処理の動作説明に供するフローチャートである。
【図１５】この発明の実施の形態５における関連画面情報の抽出処理の動作説明に供するフローチャートである。
【発明を実施するための形態】
【０００９】
実施の形態１．
図１はこの発明におけるプラント監視点検用画面表示システムの全体を示す構成図である。
図１において、符号１は画面へのタッチ入力が可能なモバイル端末、１１はモバイル端末１上で監視画面や保守点検用画面を表示するためのＷｅｂブラウザ、１１１はＷｅｂブラウザ１１により表示される表示画面、１１２は表示画面１１１を更新するための画面更新部である。
【００１０】
また、２はモバイル端末１へ情報を配信するためのＷｅｂサーバ、２１は画面更新部１１２と情報の通信を行う情報配信部、２２はＷｅｂブラウザ１１へ表示するための表示画面情報を生成する表示情報生成部、２３はＷｅｂブラウザ１１上の表示画面１１１の表示内容に関連する関連画面情報のハイパーリンクを作成する関連情報生成部、２４は各種の画面情報を格納する画面データベース（以下、ＤＢと表記する）、２５は保守点検の状況を表す情報を格納する保守点検情報ＤＢ、２６はプラントの状態を表す情報を格納するプラント情報ＤＢである。なお、上記の情報配信部２１、表示情報生成部２２、および関連情報生成部２３の各部の構成の詳細については、後述のフローチャートの動作説明により一層明確にされる。
【００１１】
ここに、画面ＤＢ２４には、モバイル端末１の表示画面１１１に表示すべきプラント監視用や保守点検用の表示画面情報、モバイル端末１の表示画面１１１に表示される画像の拡大、縮小、移動の操作に伴う表示領域の変更に対応するために表示画面情報に基づいて表示画面１１１上に表示される画像の表示領域（表示座標）の情報、さらに、表示画面情報の内容に関連する他のプラント監視用や保守点検用の表示画面情報（以下、これを関連画面情報という）とリンクするためのリンク情報（例えば関連画面の番号や名称）が互いに対応付けて格納されている。なお、上記の表示画面情報には、プラント監視用や保守点検用の画像情報、その画像情報の番号や画像情報に関係した表示対象物（各種の部品など）の情報、保守点検情報ＤＢ２５の保守点検情報、プラント情報ＤＢ２６のプラント情報が含まれている。
【００１２】
また、保守点検情報ＤＢ２５には、予めモバイル端末１を使用して作業者が保守点検項目とその細則を入力した保守点検情報が格納されている。プラント情報ＤＢ２６には、図示しないプラントから定期的に送信されてくる各種のプラント情報が格納されている。
【００１３】
図２はこの実施の形態１におけるモバイル端末１のＷｅｂブラウザ１１上の画面を示す説明図である。
ここで、図中の符号１１３はプラント監視用や保守点検用の画面を表示するための表示領域（以下、メイン表示領域という）、１１４はこのメイン表示領域１１３の表示画面に関連した関連画面の情報を表示する表示領域（以下、サブ表示領域という）を示している。なお、この実施の形態１では、サブ表示領域１１４には関連画面の情報として文字情報が表示される。
【００１４】
この実施の形態１の特徴は、モバイル端末１のＷｅｂブラウザ１１に、メイン表示領域１１３に表示されるプラント監視用や保守点検用の画面の表示内容に即した関連画面の情報のハイパーリンクをサブ表示領域１１４へ自動で表示させるようにしている。
【００１５】
以下、この実施の形態１の表示処理動作について、全体構成図を表す図１、モバイル端末１のＷｅｂブラウザ１１上の画面を表す図２、およびフローチャートを表す図３に基づいて説明する。
【００１６】
作業者がプラントの監視点検作業の開始に当たり、モバイル端末１のＷｅｂブラウザ１１の表示画面１１１上のメイン表示領域１１３に対して表示の操作（例えば、画面一覧から「○○画面」のメニュー項目をタップ）を行うと（ステップ３ａ）、画面更新部１１２は、その表示された操作に応じた内容の画面表示の要求をＷｅｂサーバ２の情報配信部２１へ送信する（ステップ３ｂ）。
【００１７】
情報配信部２１は、画面更新部１１２から画面表示の要求を受けると、表示情報生成部２２に対して画面の表示情報生成の要求を出す（ステップ３ｃ）。表示情報生成部２２は、この画面の表示情報生成の要求を受けると、モバイル端末１からの画面表示要求に応じて、プラント監視用や保守点検用の画像情報、その画像情報の番号や画像情報に関係した表示対象物（各種の部品など）の情報を画面ＤＢ２４から取得する。
【００１８】
さらに、表示情報生成部２２は、保守点検情報ＤＢ２５、およびプラント情報ＤＢ２６から保守点検情報とプラント情報を読み出す。そして、先に画面ＤＢ２４から取得したプラント監視用や保守点検用の画像情報、その画像情報の番号や画像情報に関係した表示対象物（各種の部品など）の情報にこれらの保守点検情報とプラント情報を付加し、これらの情報をメイン表示領域１１３へ表示すべき表示画面情報として生成する（ステップ３ｄ）。そして、こうして生成した表示画面情報を情報配信部２１へ送る（ステップ３ｅ）。
【００１９】
情報配信部２１は、関連情報生成部２３に対して先のステップ３ｄにおいて表示情報生成部２２で生成された表示画面情報に関連した関連情報生成の要求を出す（ステップ３ｆ）。関連情報生成部２３は、この関連情報生成の要求を受けると、これに応じて、画面ＤＢ２４から先に取得した表示画面情報を参照して、この表示画面情報に含まれるリンク情報（例えば関連画面の番号や名称）をキーとして、関連画面情報を画面ＤＢ２４から抽出する。
【００２０】
すなわち、先のステップ３ｄにおいて表示情報生成部２２で生成された表示画面情報には、その表示画面情報を表示画面１１１に表示する際の表示領域（表示座標）の情報などに加えて、この表示画面情報の内容に関連する他のプラント監視用や保守点検用の関連画面情報をリンクするためのリンク情報が互いに対応付けて格納されているので、このリンク情報をキーとして、画面ＤＢ２４に格納されている多くの表示画面情報の内から同じリンク情報をもつ関連画面情報を画面ＤＢ２４から抽出する。
【００２１】
続いて、こうして抽出した関連画面情報に対して、先のステップ３ｄにおいて表示情報生成部２２で得られた表示画面情報とのハイパーリンクを生成する（ステップ３ｇ）。そして、生成したハイパーリンクの情報を情報配信部２１へ送信する（ステップ３ｈ）。
【００２２】
情報配信部２１は、表示情報生成部２２で生成された表示画面情報、関連情報生成部２３で抽出された関連画面情報、およびハイパーリンクの情報を、モバイル端末１の画面更新部１１２へ送信する（ステップ３ｉ）。画面更新部１１２は、Ｗｅｂサーバ２から取得したこれらの各情報を基に表示画面１１１の更新を行う（ステップ３ｊ）。これにより、Ｗｅｂサーバ２の表示情報生成部２２で生成された表示画面情報がメイン表示領域１１３に表示され。また、これにハイパーリンクされた関連画面情報がサブ表示領域１１４に画面名称として文字で表示される。
【００２３】
画面表示完了後、モバイル端末１の画面更新部１１２は、表示画面１１１のメイン表示領域１１３に表示されている画像の拡大、縮小、移動等を行うための画面操作の有無を判定する（ステップ３ｋ）。画面操作が行われていない場合には、Ｗｅｂサーバ２の情報配信部２１を経由して表示情報生成部２２から更新すべき保守点検情報やプラント情報を取得し（ステップ３ｌ）、一定周期で表示画面１１１の更新を行う（ステップ３ｊ）。
【００２４】
一方、作業者がモバイル端末１において、画面表示終了の操作（ステップ３ｐ）や他画面を表示する操作（ステップ３ｑ）を何ら行なわずに、メイン表示領域１１３に対して、画像を拡大、あるいは縮小するためのピンチアウト（２本の指で画面を押さえ、指を広げて遠ざける）やピンチイン（２本の指で画面を押さえ、摘むように指を近づける）の操作や、表示領域を移動するためのドラッグ操作といった画面操作を行うと、画面更新部１１２がその操作を検知して画像の表示領域（表示座標）を算出し、その表示領域の情報をＷｅｂサーバ２の情報配信部２１へ送信する（ステップ３ｍ）。
【００２５】
情報配信部２１は、モバイル端末１の画面更新部１１２から送信された表示領域の情報を表示情報生成部２２に送信するので、表示情報生成部２２は、この表示領域の情報に対応した表示画面情報を画面ＤＢ２４から抽出する。
【００２６】
すなわち、前述のように、画面ＤＢ２４には、各表示画面の情報に対応付けて表示画面の表示領域（表示座標）の情報が付加されているので、その表示領域に適合した表示画面情報を画面ＤＢ２４から抽出する。そして、情報配信部２１は、表示情報生成部２２で抽出された表示画面情報をメイン表示領域１１３において更新すべき表示画面情報として取得する（ステップ３ｎ）。
【００２７】
また、情報配信部２１は、関連情報生成部２３に対して画像の表示領域の情報と、関連情報生成の要求とを送信する（ステップ３ｏ）。これに応じて、関連情報生成部２３は、ステップ３ｎにおいて表示情報生成部２２が画面ＤＢ２４から取得した表示領域に適合した表示画面情報を参照して、この表示画面情報に含まれるリンク情報（例えば関連画面の番号や名称）をキーとして、画面ＤＢ２４に格納されている多くの表示画面情報の内から同じリンク情報をもつ関連画面情報を画面ＤＢ２４から抽出する。続いて、こうして抽出した関連画面情報と、先のステップ３ｎにおいて取得した表示画面情報とのハイパーリンクを生成する（ステップ３ｇ）。
【００２８】
ここで、発電プラントの監視画面を例にとると、表示画面情報として１号機１軸のタービン回り系統の全体画面がメイン表示領域１１３に表示されている場合、サブ表示領域１１４に表示すべき関連画面情報として、他軸のタービン関連画面のハイパーリンクを生成する。また、メイン表示領域１１３において、タービンまわり系統の監視画面を拡大操作することにより、ポンプなどの特定の設備のみに焦点を当てた画面が現在表示されている場合には、サブ表示領域１１４に表示すべき関連画面情報として、その設備に関連付けられたトレンド画面やマニュアル等へのハイパーリンクを生成する。
【００２９】
そして、ステップ３ｇで関連画面情報のハイパーリンクを生成した後は、表示画面情報を処理する場合と同様に、生成したハイパーリンクの情報を情報配信部２１へ送信する（ステップ３ｈ）。情報配信部２１は、表示情報生成部２２で生成された表示画面情報と、関連情報生成部２３で生成された関連画面情報、およびハイパーリンクの情報を、モバイル端末１の画面更新部１１２へ送信する（ステップ３ｉ）。画面更新部１１２は、Ｗｅｂサーバ２から取得したこれらの各情報を基に表示画面１１１の更新を行う（ステップ３ｊ）。
【００３０】
これにより、Ｗｅｂサーバ２の表示情報生成部２２で新たに生成された表示画面情報に基づく画像がメイン表示領域１１３に更新表示され。また、これにハイパーリンクされた新たな関連画面情報がサブ表示領域１１４に画面名称などの文字情報により更新表示される。
【００３１】
なお、ステップ３ｑで作業者が他画面を表示する操作を行った場合は、ステップ３ｂに戻り、画面表示時と同様の処理を行う。また、ステップ３ｐで作業者が画面表示終了の操作（例えば、Ｗｅｂブラウザ１１を閉じるなどの操作）を行った場合には、画面の更新処理を終了する。
【００３２】
以上のように、実施の形態１によれば、作業者がモバイル端末１の表示画面１１１を操作すると、これに応じて、画面に表示されている内容や詳細度に即した関連画面へのハイパーリンクが自動で生成されて即座に表示されるため、作業者が所望の関連画面の情報を得るために、目的の関連画面を別個に検索して表示する等の煩雑な操作が不要となり、作業の効率化が可能となる。
【００３３】
さらに、この実施の形態１によれば、関連画面情報がハイパーリンクとして表示されるので、作業員はハイパーリンクをタップ操作することにより、所望の関連画面を表示することができ、単純な操作で必要な情報が即座に得られる。このため、操作ミス等のヒューマンエラーを低減することが可能となる。
【００３４】
実施の形態２．
図４はこの実施の形態２におけるプラント監視点検用画面表示システムの全体を示す構成図、図５はこの発明の実施の形態２においてモバイル端末の表示画面の一例を示す説明図である。
【００３５】
この実施の形態２では、実施の形態１の構成に対して、関連画面情報に基づくサムネイル画像を生成するためのサムネイル画像生成部２７を追加している。なお、図４、図５において、実施の形態１で示した図１、図２と同一の部分については同一の符号を付し、ここでは詳しい説明を省略する。
【００３６】
この実施の形態２の特徴は、メイン表示領域１１３に表示される表示画面情報に関連する関連画面情報に基づいて、サムネイル画像生成部２７でサムネイル画像を生成し、このサムネイル画像を関連情報生成部２３が用いることで、関連画面情報のサムネイル画像のハイパーリンクをサブ表示領域１１４へ自動で表示させるようにしている。
【００３７】
以下、この実施の形態２の表示処理動作について、関連画面のハイパーリンク生成部分の動作を示す図６のフローチャートを参照して説明する。
【００３８】
この実施の形態２では、実施の形態１と同様に、Ｗｅｂサーバ２の関連情報生成部２３が情報配信部２１から関連情報生成の要求を受けると、これに応じて、関連情報生成部２３は、先に表示情報生成部２２で画面ＤＢ２４から取得した表示画面情報を参照して、この表示画面情報に含まれるリンク情報をキーとして、画面ＤＢ２４に格納されている多くの表示画面情報の内から同じリンク情報をもつ関連画面情報を画面ＤＢ２４から抽出する（ステップ６ａ）。
【００３９】
そして、関連情報生成部２３は、こうして抽出した関連画面情報をサムネイル画像生成部２７に転送する。サムネイル画像生成部２７は、この転送されてきた関連画面情報に基づいて画像圧縮処理をするなどして関連画面情報に関するサムネイル画像を生成する（ステップ６ｂ）。関連情報生成部２３は、サムネイル画像生成部２７で生成された関連画面のサムネイル画像を取得する（ステップ６ｃ）。その後、このサムネイル画像と表示情報生成部２２が画面ＤＢ２４から取得した表示画面情報とのハイパーリンクを生成する（ステップ６ｄ）。ハイパーリンクを生成した後、関連情報生成部２３はハイパーリンクの情報を情報配信部２１へ送信する（ステップ６ｅ）。
【００４０】
これ以降の画面更新などの処理は、実施の形態１と同様の流れ、すなわち図３のステップ３ｉ以降の処理に移行するので、ここでは詳しい説明は省略する。
【００４１】
以上のように、この実施の形態２によれば、サムネイル画像生成部２７によって関連画面情報に関するサムネイル画像を生成するようにしているので、関連画面情報についてのハイパーリンクをサムネイル画像としてサブ表示領域１１４に表示することができる。これにより、作業者は所望の関連画面がどのような画面であるかを直感的に判別することができ、この結果、作業者の誤認を防ぎ、操作ミス等のヒューマンエラーを低減することが可能となる。
【００４２】
実施の形態３．
図７はこの実施の形態３におけるプラント監視点検用画面表示システムの全体を示す構成図である。
【００４３】
この実施の形態３では、実施の形態２の構成に対して、各監視点検画面のアクセス頻度を記録するためのアクセスログ記録部２８と、そのアクセスログを格納するアクセスログＤＢ２９を追加している。なお、図７において、実施の形態２で示した図４と同一の部分については同一の符号を付し、ここでは詳しい説明を省略する。
【００４４】
この実施の形態３の特徴は、関連情報生成部２３がアクセスログＤＢ２９に格納されたアクセス情報を参照して、関連画面情報の表示順を決定するように構成することで、アクセス頻度の高い関連画面情報のハイパーリンクを表示することを可能としている。
【００４５】
以下、この実施の形態３の表示処理動作について、アクセスログ記録処理の動作説明に供する図８のフローチャート、およびハイパーリンク生成処理の動作説明に供する図９のフローチャートをそれぞれ参照して説明する。
【００４６】
作業者がモバイル端末１のメイン表示領域１１３の画面を操作したり、サブ表示領域１１４の関連画面情報を選択して関連画面を表示させるなどの操作を行うと（ステップ８ａ）、画面更新部１１２がその操作を検知し、表示画面の内容に応じたアクセス情報をＷｅｂサーバ２のアクセスログ記録部２８へ送信する（ステップ８ｂ）。アクセスログ記録部２８は、送信されたアクセス情報を関連画面情報へのアクセスログとして表示画面の内容に対応付けてアクセスログＤＢ２９に記録する（ステップ８ｃ）。
【００４７】
関連画面情報の抽出については、実施の形態２の場合と同様に、関連情報生成部２３が情報配信部２１から関連情報生成の要求を受けると、これに応じて、関連情報生成部２３は、先に表示情報生成部２２で画面ＤＢ２４から取得した表示画面情報を参照して、この表示画面情報に含まれるリンク情報をキーとして、画面ＤＢ２４に格納されている多くの表示画面情報の内から同じリンク情報をもつ関連画面情報を画面ＤＢ２４から抽出する（ステップ９ａ）。
【００４８】
次に、関連情報生成部２３は、アクセスログＤＢ２９から関連画面情報のアクセス情報を取得し、アクセス数がしきい値以上の関連画面情報を選択し、選択した内からアクセス数の高い順に関連画面情報の表示順を決定する（ステップ９ｂ）。
【００４９】
そして、表示順が決定された関連画面情報をサムネイル画像生成部２７に転送するので、サムネイル画像生成部２７は、この関連画面情報に基づいて画像圧縮処理をするなどして関連画面情報に関するサムネイル画像を生成する。そして、関連情報生成部２３は、サムネイル画像生成部２７で生成された関連画面のサムネイル画像を取得する（ステップ９ｃ）。
【００５０】
その後、関連情報生成部２３は、取得した画像を用いて関連画面のサムネイル画像についてハイパーリンクを生成する（ステップ９ｄ）。ハイパーリンクを生成した後、関連情報生成部２３はハイパーリンクの情報を情報配信部２１へ送信する（ステップ９ｅ）。
【００５１】
これ以降の画面更新などの処理は、実施の形態２と同様の流れ、すなわち図３のステップ３ｉ以降の処理に移行するので、ここでは詳しい説明は省略する。
【００５２】
以上のように、この実施の形態３によれば、画面のアクセス数がしきい値以上の関連画面情報をアクセス頻度が高い順にハイパーリンクとして表示することができる。これにより、作業者は参照する頻度の高い関連画面のハイパーリンクを自動で得ることができるため、複数ある関連画面の内から必要な画面を検索する等の煩雑な作業が不要となる。この結果、アクセス頻度の高い関連画面により速くアクセスできるようになり、作業の効率化が可能となる。
【００５３】
実施の形態４．
図１０はこの実施の形態４におけるプラント監視点検用画面表示システムの全体を示す構成図である。
【００５４】
この実施の形態４では、実施の形態３の構成に対して、作業者の識別を行うための作業者識別部３０を追加している。なお、図１０において、実施の形態３で示した図７と同一の部分については同一の符号を付し、ここでは詳しい説明を省略する。
【００５５】
この実施の形態４の特徴は、関連情報生成部２３が関連画面情報を生成する際や、アクセスログ記録部２８がモバイル端末１とのアクセスログを記録する際に、作業者を識別できるように、作業者識別部３０を設けることで作業者ごとに異なる関連画面情報のハイパーリンクを表示することを可能とする。
【００５６】
以下、この実施の形態４の表示処理動作について、アクセスログ記録処理の動作説明に供する図１１のフローチャート、および関連画面抽出処理の動作説明に供する図１２のフローチャートをそれぞれ参照して説明する。
【００５７】
作業者がモバイル端末１の操作を開始する場合の事前の準備作業として、表示画面１１１を操作してＷｅｂブラウザ１１により作業者を特定できる作業者ＩＤやパスワードを予め設定し、これらの情報をＷｅｂサーバ２に送信し、作業者識別部３０に登録しておく。
【００５８】
その後、作業者がモバイル端末１のメイン表示領域１１３の画面を操作したり、サブ表示領域１１４の関連画面情報を選択して関連画面を表示させるなどの操作を行うと（ステップ１１ａ）、画面更新部１１２がその操作を検知し、表示画面の内容に応じたアクセス情報をＷｅｂサーバ２のアクセスログ記録部２８へ送信する（ステップ１１ｂ）。
【００５９】
アクセスログ記録部２８は、アクセス情報を受信すると、作業者識別部３０から送信元の作業者を識別するための作業者ＩＤを取得する（ステップ１１ｃ）。そして、アクセスログ記録部２８は、送信されたアクセス情報を関連画面情報へのアクセスログとして識別した作業者ＩＤに対応付けてアクセスログＤＢ２９に記録する（ステップ１１ｄ）。
【００６０】
関連画面のハイパーリンク生成時に行う関連画面の抽出については、関連情報生成部２３が情報配信部２１から関連情報生成の要求を受けると、関連情報生成部２３は、作業者識別部３０から作業者を識別するための作業者ＩＤを取得する（ステップ１２ａ）。
【００６１】
次に、関連情報生成部２３は、実施の形態３の場合と同様、先に表示情報生成部２２で画面ＤＢ２４から取得した表示画面情報を参照して、この表示画面情報に含まれるリンク情報をキーとして、画面ＤＢ２４に格納されている多くの表示画面情報の内から同じリンク情報をもつ関連画面情報を画面ＤＢ２４から抽出する（ステップ１２ｂ）。
【００６２】
続いて、関連情報生成部２３は、先のステップ１２ａで取得した作業者ＩＤに関する関連画面情報についてのアクセス情報をアクセスログＤＢ２９から取得し、先のステップ１２ｂで抽出した関連画面情報の内から、アクセス数がしきい値以上の関連画面情報を選択し、選択した内からアクセス数の高い順に関連画面情報の表示順を決定する（ステップ１２ｃ）。
【００６３】
これ以降のハイパーリンクの生成、情報配信部２１への送信、画面更新等は実施の形態３と同様の流れ、すなわち図９のステップ９ｃ以降の処理に移行するので、ここでは詳しい説明は省略する。
【００６４】
以上のように、この実施の形態４によれば、作業者ごとに関連画面情報についてのアクセス情報を記録し、そのアクセス情報を基に関連画面情報のハイパーリンクを生成するため、作業者ごとに異なる関連画面を表示することができる。これにより、例えば熟練度の異なる作業者であっても、それぞれが参照したい所望の関連情報を煩雑な操作なしに直ちに得ることができるため、作業の効率化が可能となる。
【００６５】
実施の形態５．
図１３はこの実施の形態５におけるプラント監視点検用画面表示システムの全体を示す構成図である。
【００６６】
この実施の形態５では、実施の形態４の構成に対して、画面ＤＢ２４に格納されている各表示画面情報について、これに付随する関連情報（以下、付随関連情報という）を予め登録しておくための付随関連情報登録部３１と、その付随関連情報を格納する付随関連情報ＤＢ３２を追加している。この場合の付随関連情報は、画面表示用の画像情報に限らず文字情報などを含むものであってもよい。なお、図１３において、実施の形態４で示した図１０と同一の部分については同一の符号を付し、ここでは詳しい説明を省略する。
【００６７】
この実施の形態５の特徴は、関連情報生成部２３が付随関連情報ＤＢ３２に登録された付随関連情報を参照して、関連画面情報の抽出およびその表示順を決定するように構成することで、作業者が所望する関連画面情報のハイパーリンクを優先して自動で表示することを可能とする。
【００６８】
以下、この実施の形態５の表示処理動作について、付随関連情報設定処理の動作説明に供する図１４のフローチャート、および関連情報抽出処理の動作説明に供する図１５のフローチャートをそれぞれ参照して説明する。
【００６９】
作業者がモバイル端末１を操作して、Ｗｅｂサーバ２の付随関連情報登録部３１を通して画面ＤＢ２４に格納されている各表示画面情報に付随する付随関連情報やその付随関連情報の関連度を設定（例えば、関連度として重み付け係数を設定するなど）すると（ステップ１４ａ）、付随関連情報登録部３１は、作業者識別部３０から作業者を識別するための作業者ＩＤを取得し（ステップ１４ｂ）、作業者ＩＤごとに各々の表示画面情報に関連付けた付随関連情報を付随関連情報ＤＢ３２に格納する（ステップ１４ｃ）。
なお、付随関連情報は、個々の作業者がモバイル端末１を操作して付随関連情報ＤＢ３２に設定登録する代わりに、予め全作業者分を一括して設定登録することも可能である。
【００７０】
関連画面のハイパーリンク生成時に行う関連画面の抽出については、関連情報生成部２３が情報配信部２１から関連情報生成の要求を受けると、関連情報生成部２３は、作業者識別部３０から作業者を識別するための作業者ＩＤを取得し（ステップ１５ａ）、続いて、関連情報生成部２３は、先のステップ１５ａで取得した作業者ＩＤに対応する付随関連情報を付随関連情報ＤＢ３２から取得する（ステップ１５ｂ）。
【００７１】
次に、関連情報生成部２３は、実施の形態４の場合と同様、先に表示情報生成部２２で画面ＤＢ２４から取得した表示画面情報を参照して、この表示画面情報に含まれるリンク情報をキーとして、画面ＤＢ２４に格納されている多くの表示画面情報の内から同じリンク情報をもつ関連画面情報を画面ＤＢ２４から抽出する（ステップ１５ｃ）。
【００７２】
続いて、関連情報生成部２３は、先のステップ１５ａで取得した作業者ＩＤに対応する関連画面情報に関するアクセス情報をアクセスログＤＢ２９から取得し、先のステップ１５ｂで付随関連情報ＤＢ３２から取得した付随関連情報と合わせて関連画面情報の表示順を決定する（ステップ１５ｄ）。すなわち、関連画面情報を表示する対象として、先のステップ１５ｃで抽出した関連画面情報の内から、付随関連情報の関連度が高い関連画面情報を選択し、さらに選択した内からアクセス数の高い順に関連画面情報の表示順を決定する。
【００７３】
これ以降のハイパーリンクの生成、情報配信部２１への送信、画面更新などは実施の形態４と同様の流れ、すなわち図９のステップ９ｃ以降の処理に移行するので、ここでは詳しい説明は省略する。
【００７４】
以上のように、付随関連情報を登録していないと画面名称や設備名称の関連度が低いために関連画面情報として抽出されない場合でも、この実施の形態５のように、表示画面情報に付随した付随関連情報を予め付随関連情報ＤＢに登録しておくことで、メイン表示領域に表示される画面に関連する所望の関連画面情報のハイパーリンクを優先的に表示することができる。これにより、各作業者が目的の画面を表示するために行う煩雑な操作が不要となるため、保守点検作業が効率化する。
【００７５】
なお、この発明は、上記の実施の形態１〜５の構成のみに限定されるものではなく、この発明の趣旨を逸脱しない範囲において、各実施の形態１〜５の構成の一部を変形し、また、構成の一部を省略することができ、さらに、各実施の形態１〜５の構成を適宜組み合わせることが可能である。
【符号の説明】
【００７６】
１  モバイル端末、１１  Ｗｅｂブラウザ、１１１  表示画面、１１２  画面更新部、１１３  メイン表示領域、１１４  サブ表示領域、２  Ｗｅｂサーバ、
２１  情報配信部、２２  表示情報生成部、２３  関連情報生成部、２４  画面ＤＢ、
２５  保守点検情報ＤＢ、２６  プラント情報ＤＢ、２７  サムネイル画像生成部、
２８  アクセスログ記録部、２９  アクセスログＤＢ、３０  作業者識別部、
３１  付随関連情報登録部、３２  付随関連情報ＤＢ。
【図１】
0006566828.tif 000002
【図２】
0006566828.tif 000003
【図３】
0006566828.tif 000004
【図４】
0006566828.tif 000005
【図５】
0006566828.tif 000006
【図６】
0006566828.tif 000007
【図７】
0006566828.tif 000008
【図８】
0006566828.tif 000009
【図９】
0006566828.tif 000010
【図１０】
0006566828.tif 000011
【図１１】
0006566828.tif 000012
【図１２】
0006566828.tif 000013
【図１３】
0006566828.tif 000014
【図１４】
0006566828.tif 000015
【図１５】
0006566828.tif 000016